【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
コマンドを受信する受信部と、
媒体を搬送する搬送部と、
前記搬送部で搬送される前記媒体の情報を読み取る読取部と、
前記搬送部で搬送される前記媒体に記録する記録部と、
電源投入後又はリセット後、前記受信部で前記コマンドを受け付けないビジー状態へ移行し、前記搬送部での前記媒体の搬送を確認する処理を行う第１の初期処理を実行させた後、前記ビジー状態を解除して前記記録部もしくは前記読取部の初期化動作を行なう第２の初期処理を実行させる初期処理実行部と、
を備えることを特徴とする媒体処理装置。
【請求項２】
前記記録部は、インクジェットヘッドで前記媒体に記録し、
前記第２の初期処理での前記記録部の初期化動作は、前記インクジェットヘッドでのインクの吐出の準備に係る処理である請求項１に記載の媒体処理装置。
【請求項３】
前記インクジェットヘッドでのインクの吐出の準備に係る処理は、前記インクジェットヘッドのキャップに残留するインクの吸引である請求項２に記載の媒体処理装置。
【請求項４】
前記ビジー状態を解除した後、
前記受信部の前記コマンドの受け付けに係る処理を実行する請求項１ないし３のいずれか１項に記載の媒体処理装置。
【請求項５】
媒体を搬送する搬送部、前記媒体の情報を読み取る読取部、及び前記媒体に記録する記録部を有して制御装置からのコマンドを受け付ける媒体処理装置に電源が投入されたとき、もしくは前記媒体処理装置にリセットが実行されたとき、前記媒体処理装置を前記制御装置からのコマンドを受け付けないビジー状態へ移行し、
前記搬送部での前記媒体の搬送の確認を含む第１の初期処理を実行させ、
前期第１の初期処理を実行した後、前記ビジー状態を解除し、
前記記録部もしくは前記読取部の初期化動作を行なう第２の初期処理を実行させることを特徴とする媒体処理装置の制御方法。
【請求項６】
制御装置に接続され、媒体を搬送する搬送部と、前記搬送部で搬送される前記媒体の情報を読み取る読取部と、前記搬送部で搬送される前記媒体に記録する記録部と、
を備える媒体処理装置を制御する制御部により実行されるプログラムであって、
前記制御部を、
電源投入後又はリセット後、前記制御装置からのコマンドを受け付けないビジー状態へ移行し、前記搬送部での前記媒体の搬送を確認する処理を第１の初期処理を実行させた後、前記ビジー状態を解除し、前記記録部もしくは前記読取部の初期化動作を行なう第２の初期処理を実行させる初期処理実行部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、コマンドを受信する受信部と、媒体を搬送する搬送部と、前記搬送部で搬送される前記媒体の情報を読み取る読取部と、前記搬送部で搬送される前記媒体に記録する記録部と、電源投入後又はリセット後、前記受信部で前記コマンドを受け付けないビジー状態へ移行し、前記搬送部での前記媒体の搬送を確認する処理を行う第１の初期処理を実行させた後、前記ビジー状態を解除して前記記録部もしくは前記読取部の初期化動作を行なう第２の初期処理を実行させる初期処理実行部と、を備えることを特徴とする。
ここで、電源投入後や、リセット後において、媒体の搬送経路上に媒体が残留したり、搬送に係る機構にエラーが発生したりする等して搬送部による媒体の正常な搬送ができない状態の場合は、媒体の情報の読み取りや、媒体への記録等の媒体に対する各種処理の前提となる搬送自体ができない。従って、媒体に対する一切の処理ができない状態であり、このような状態の場合は、制御装置からのコマンドの受け付けを開始することなく、発生しているエラーを即時に解消する必要がある。一方で、少なくとも、搬送部による媒体の正常な搬送ができる状態の場合において、読取部や記録部に関して何らかのエラーが発生している場合であっても、例えば、ユーザーが読取部による媒体の情報を読み取ることができないことを把握し、そのことを許容している場合や、ユーザーが記録部による画像の記録ができないことを把握し、そのことを許容している場合等、エラーを即時に解消しない場合もある。従って、このような場合は、制御装置からのコマンドを受け付け、処理可能なコマンドについては処理することが可能である。
以上を踏まえ、上記構成によれば、電源投入後や、リセット後に実行すべき初期処理を、第１の初期処理と第２の初期処理との２つに分け、第１の初期処理にて少なくとも搬送部によって媒体を正常に搬送できることの確認を行った後、ビジー状態を解除し、第２の初期処理として残りの初期処理を実行することとしたため、搬送部によって媒体を正常に搬送できることが確定し、媒体の処理という観点から重大なエラーが発生していないことが確定するまでは制御装置からコマンドを受け付けることを的確に防止した上で、電源投入後や、リセット後における制御装置からのコマンドを受け付けない期間をできるだけ短縮することが可能となる。
【手続補正３】
【補正対象書類名】明細書
【補正対象項目名】０００６
【補正方法】変更
【補正の内容】
【０００６】
また、上記発明の媒体処理装置であって、本発明は、前記記録部は、インクジェットヘッドで前記媒体に記録し、前記第２の初期処理での前記記録部の初期化動作は、前記インクジェットヘッドでのインクの吐出の準備に係る処理である。
ここで、インクジェットヘッドによるインクの吐出の準備に係る処理は、正常に画像を記録できるようにするために必要な初期処理であるものの、当該処理が完了していない状態で制御装置からのコマンドを受け付けたとしても、そのことが直接的に起因して何らかの不具合が発生することはない。また、当該処理は、インクジェットヘッドやその他の物理的な機構の動作を伴うため、開始から終了にいたるまでに比較的長い時間を要する。
以上を踏まえ、上記構成によれば、ビジー状態の解除後に、第２の初期処理としてインクジェットヘッドによるインクの吐出の準備に係る処理を実行する構成としたため、電源投入後や、リセット後における制御装置からのコマンドを受け付けない期間をできるだけ短縮することが可能となる。
【手続補正４】
【補正対象書類名】明細書
【補正対象項目名】０００７
【補正方法】変更
【補正の内容】
【０００７】
また、上記発明の媒体処理装置であって、本発明は、前記インクジェットヘッドでのインクの吐出の準備に係る処理は、前記インクジェットヘッドのキャップに残留するインクの吸引である。
ここで、電源投入後やリセット後に、キャップに残留するインクを吸引しないと、キャップのインクのオーバーフローの原因となる可能性があるため、インクジェットヘッドのキャップに残留するインクの吸引に係る処理は、電源投入後や、リセット後に行う必要がある一方、インクジェットヘッドの移動や、ポンプの駆動等を伴う処理であるため、作業に要する時間が長い。
以上を踏まえ、上記構成によれば、ビジー状態の解除後に、第２の初期処理としてインクジェットヘッドのキャップに残留するインクの吸引に係る処理を実行する構成としたため、電源投入後や、リセット後における制御装置からのコマンドを受け付けない期間をできるだけ短縮することが可能となる。
【手続補正５】
【補正対象書類名】明細書
【補正対象項目名】０００８
【補正方法】変更
【補正の内容】
【０００８】
また、上記発明の媒体処理装置であって、本発明は、前記ビジー状態を解除した後、前記受信部の前記コマンドの受け付けに係る処理を実行する。
この構成によれば、第２の初期処理と、コマンドの受け付けに係る処理とを並行して実行可能なため、さらに処理効率を向上することができる。
【手続補正６】
【補正対象書類名】明細書
【補正対象項目名】０００９
【補正方法】変更
【補正の内容】
【０００９】
また、上記目的を達成するために、本発明は、媒体を搬送する搬送部、前記媒体の情報を読み取る読取部、及び前記媒体に記録する記録部を有して制御装置からのコマンドを受け付ける媒体処理装置に電源が投入されたとき、もしくは前記媒体処理装置にリセットが実行されたとき、前記媒体処理装置を前記制御装置からのコマンドを受け付けないビジー状態へ移行し、前記搬送部での前記媒体の搬送の確認を含む第１の初期処理を実行させ、前期第１の初期処理を実行した後、前記ビジー状態を解除し、前記記録部もしくは前記読取部の初期化動作を行なう第２の初期処理を実行させることを特徴とする。
本発明の制御方法によれば、電源投入後や、リセット後に実行すべき初期処理を、第１の初期処理と第２の初期処理とに分け、第１の初期処理にて少なくとも搬送部によって媒体を正常に搬送できることの確認を行った後、ビジー状態を解除し、第２の初期処理として残りの初期処理を実行することとしたため、搬送部によって媒体を正常に搬送できることが確定し、媒体の処理という観点から重大なエラーが発生していないことが確定するまでは制御装置からコマンドを受け付けることを的確に防止した上で、電源投入後や、リセット後における制御装置からのコマンドを受け付けない期間をできるだけ短縮することが可能となる。
【手続補正７】
【補正対象書類名】明細書
【補正対象項目名】００１０
【補正方法】変更
【補正の内容】
【００１０】
また、上記目的を達成するために、本発明は、制御装置に接続され、媒体を搬送する搬送部と、前記搬送部で搬送される前記媒体の情報を読み取る読取部と、前記搬送部で搬送される前記媒体に記録する記録部と、を備える媒体処理装置を制御する制御部により実行されるプログラムであって、前記制御部を、電源投入後又はリセット後、前記制御装置からのコマンドを受け付けないビジー状態へ移行し、前記搬送部での前記媒体の搬送を確認する処理を第１の初期処理を実行させた後、前記ビジー状態を解除し、前記記録部もしくは前記読取部の初期化動作を行なう第２の初期処理を実行させる初期処理実行部として機能させることを特徴とする。
本発明のプログラムにすれば、電源投入後や、リセット後に実行すべき初期処理を、第１の初期処理と第２の初期処理とに分け、第１の初期処理にて少なくとも搬送部によって媒体を正常に搬送できることの確認を行った後、ビジー状態を解除し、第２の初期処理として残りの初期処理を実行することとしたため、搬送部によって媒体を正常に搬送できることが確定し、媒体の処理という観点から重大なエラーが発生していないことが確定するまでは制御装置からコマンドを受け付けることを的確に防止した上で、電源投入後や、リセット後における制御装置からのコマンドを受け付けない期間をできるだけ短縮することが可能となる。